(57)【要約】【課題】通信容量の消費を抑えながらユーザが閲覧するコンテンツをユーザ端末に予め配信できるようにする。【解決手段】本発明の一実施形態に係るコンテンツ配信装置１は、ユーザ端末２で表示されるコンテンツの閲覧履歴に基づいて、ユーザ端末２において今後閲覧されるコンテンツを予測する閲覧予測部１１２と、ユーザ端末２が通信に用いている通信方式を示す情報に基づいて、ユーザ端末２へのコンテンツの配信を許可することを判定する配信条件判定部１１３と、配信条件判定部１１３がコンテンツの配信を許可することを判定した場合に、閲覧予測部１１２が予測したコンテンツをユーザ端末２に送信するコンテンツ送信部１１５と、を有する。【選択図】図２
2019074841.tif 000002
【特許請求の範囲】
【請求項１】
端末で表示されるコンテンツの閲覧履歴に基づいて、前記端末において今後閲覧される前記コンテンツを予測する予測部と、
前記端末が通信に用いている通信方式を示す情報に基づいて、前記端末への前記コンテンツの配信を許可することを判定する判定部と、
前記判定部が前記コンテンツの配信を許可することを判定した場合に、前記予測部が予測した前記コンテンツを前記端末に送信する送信部と、
を有するコンテンツ配信装置。
【請求項２】
前記端末は、第１の通信方式と第２の通信方式とを切り替えて通信可能に構成され、
前記判定部は、前記端末が前記第１の通信方式で通信を行っている場合に前記コンテンツの配信を許可することを判定し、前記端末が前記第２の通信方式で通信を行っている場合に前記コンテンツの配信を許可しないことを判定する、
請求項１に記載のコンテンツ配信装置。
【請求項３】
前記端末は、前記第１の通信方式としてローカルエリアネットワーク通信を用い、前記第２の通信方式として移動体通信を用いるように構成されている、請求項２に記載のコンテンツ配信装置。
【請求項４】
前記予測部は、前記閲覧履歴に加えて、前記端末を使用するユーザが登録したコンテンツを示す情報に基づいて、前記端末において今後閲覧される前記コンテンツを予測する、請求項１から３のいずれか一項に記載のコンテンツ配信装置。
【請求項５】
前記判定部は、前記通信方式を示す情報に加えて、前記端末が電源に接続されていることを示す情報に基づいて、前記端末への前記コンテンツの配信を許可することを判定する、請求項１から４のいずれか一項に記載のコンテンツ配信装置。
【請求項６】
前記予測部は、前記閲覧履歴に含まれる前記コンテンツと同一又は類似の前記コンテンツを、今後閲覧される前記コンテンツとして予測する、請求項１から５のいずれか一項に記載のコンテンツ配信装置。
【請求項７】
前記予測部は、前記閲覧履歴に基づいて、配信の優先度を前記コンテンツごとに算出し、
前記送信部は、前記判定部が前記コンテンツの配信を許可することを判定した場合に、前記予測部が算出した前記優先度に対応する順序で前記コンテンツを前記端末に送信する、請求項１から６のいずれか一項に記載のコンテンツ配信装置。
【請求項８】
前記判定部は、前記通信方式を示す情報に加えて、前記端末の当日の利用状況に基づいて、前記端末への前記コンテンツの配信を許可することを判定する、請求項１から７のいずれか一項に記載のコンテンツ配信装置。
【請求項９】
前記判定部は、前記送信部が前記コンテンツを前記端末に送信する前に、前記通信方式を示す情報を送信させるための通知を前記端末に送信する、請求項１から８のいずれか一項に記載のコンテンツ配信装置。
【請求項１０】
前記判定部は、前記通知の単位時間あたりの送信数を制限して前記通知を前記端末に送信する、請求項９に記載のコンテンツ配信装置。
【請求項１１】
前記送信部は、前記予測部が予測した前記コンテンツの識別情報を前記端末に送信した後、前記端末から受信した要求が示す前記識別情報に関連付けられた前記コンテンツを前記端末に送信する、請求項１から１０のいずれか一項に記載のコンテンツ配信装置。
【請求項１２】
プロセッサを、
端末で表示されるコンテンツの閲覧履歴に基づいて、前記端末において今後閲覧される前記コンテンツを予測する予測部、
前記端末が通信に用いている通信方式を示す情報に基づいて、前記端末への前記コンテンツの配信を許可することを判定する判定部、及び
前記判定部が前記コンテンツの配信を許可することを判定した場合に、前記予測部が予測した前記コンテンツを前記端末に送信する送信部、
として機能させるためのコンテンツ配信プログラム。
【請求項１３】
コンピュータが実行する、
端末で表示されるコンテンツの閲覧履歴に基づいて、前記端末において今後閲覧される前記コンテンツを予測するステップと、
前記端末が通信に用いている通信方式を示す情報に基づいて、前記端末への前記コンテンツの配信を許可することを判定するステップと、
前記判定するステップで前記コンテンツの配信を許可することが判定された場合に、前記予測するステップで予測された前記コンテンツを前記端末に送信するステップと、
を有するコンテンツ配信方法。
【請求項１４】
コンテンツ配信装置及び端末を備え、
前記コンテンツ配信装置は、
前記端末で表示されるコンテンツの閲覧履歴に基づいて、前記端末において今後閲覧される前記コンテンツを予測する予測部と、
前記端末が通信に用いている通信方式を示す情報に基づいて、前記端末への前記コンテンツの配信を許可することを判定する判定部と、
前記判定部が前記コンテンツの配信を許可することを判定した場合に、前記予測部が予測した前記コンテンツを前記端末に送信する送信部と、
を有し、
前記端末は、前記コンテンツ配信装置から受信した前記コンテンツを表示する表示部を有する、コンテンツ配信システム。
【発明の詳細な説明】
【技術分野】
【０００１】
本発明は、ネットワークを介して電子的なコンテンツを配信するコンテンツ配信装置、コンテンツ配信プログラム、コンテンツ配信方法及びコンテンツ配信システムに関する。
【背景技術】
【０００２】
近年、書籍を電子的なコンテンツである電子書籍として携帯端末に配信するサービスが提供されている。携帯端末は、ユーザによって要求された電子書籍を、ネットワークを介して受信してディスプレイに表示する。
【０００３】
特許文献１には、ユーザが定期刊行物である電子書籍を購読している場合に、定期刊行物の新しい号が発行された際にユーザの携帯端末に対して通知を行う技術が記載されている。通知を見たユーザが携帯端末において要求を行うと、携帯端末は新しい号を受信して表示することができる。
【先行技術文献】
【特許文献】
【０００４】
【特許文献１】特開２０１２−１０８５８９号公報
【発明の概要】
【発明が解決しようとする課題】
【０００５】
しかしながら、特許文献１に記載の技術では、ユーザが要求を行うことによってはじめて携帯端末が電子書籍の受信を行うため、携帯端末が電子書籍を表示するまでに時間が掛かる。
【０００６】
一方、ユーザの要求を受けずに携帯端末が電子書籍（コンテンツ）を予め受信する場合には、以下のような問題が生じる。携帯端末に係る移動体通信の契約によっては、単位期間あたりの通信容量（例えば１月あたり７ＧＢ）が決まっている場合がある。通信容量が尽きると、通信速度が制限されたり、追加料金が掛かったりする。そのためユーザの意図によらずにコンテンツを受信することによって携帯端末の通信容量が大きく消費されると、ユーザの満足度を低下させるおそれがある。また、配信対象のコンテンツの数が多い場合には、コンテンツを無作為の順番で配信すると、実際にユーザが閲覧したいコンテンツが予め携帯端末に受信されない場合がある。
【０００７】
本発明はこれらの点に鑑みてなされたものであり、通信容量の消費を抑えながらユーザが閲覧するコンテンツをユーザ端末に予め配信することが可能なコンテンツ配信装置、コンテンツ配信プログラム、コンテンツ配信方法及びコンテンツ配信システムを提供することを目的とする。
【課題を解決するための手段】
【０００８】
本発明の第１の態様のコンテンツ配信装置は、端末で表示されるコンテンツの閲覧履歴に基づいて、前記端末において今後閲覧される前記コンテンツを予測する予測部と、前記端末が通信に用いている通信方式を示す情報に基づいて、前記端末への前記コンテンツの配信を許可することを判定する判定部と、前記判定部が前記コンテンツの配信を許可することを判定した場合に、前記予測部が予測した前記コンテンツを前記端末に送信する送信部と、を有する。
【０００９】
前記端末は、第１の通信方式と第２の通信方式とを切り替えて通信可能に構成され、前記判定部は、前記端末が前記第１の通信方式で通信を行っている場合に前記コンテンツの配信を許可することを判定し、前記端末が前記第２の通信方式で通信を行っている場合に前記コンテンツの配信を許可しないことを判定してもよい。
【００１０】
前記端末は、前記第１の通信方式としてローカルエリアネットワーク通信を用い、前記第２の通信方式として移動体通信を用いるように構成されてもよい。
【００１１】
前記予測部は、前記閲覧履歴に加えて、前記端末を使用するユーザが登録したコンテンツを示す情報に基づいて、前記端末において今後閲覧される前記コンテンツを予測してもよい。
【００１２】
前記判定部は、前記通信方式を示す情報に加えて、前記端末が電源に接続されていることを示す情報に基づいて、前記端末への前記コンテンツの配信を許可することを判定してもよい。
【００１３】
前記予測部は、前記閲覧履歴に含まれる前記コンテンツと同一又は類似の前記コンテンツを、今後閲覧される前記コンテンツとして予測してもよい。
【００１４】
前記予測部は、前記閲覧履歴に基づいて、配信の優先度を前記コンテンツごとに算出し、前記送信部は、前記判定部が前記コンテンツの配信を許可することを判定した場合に、前記予測部が算出した前記優先度に対応する順序で前記コンテンツを前記端末に送信してもよい。
【００１５】
前記判定部は、前記通信方式を示す情報に加えて、前記端末の当日の利用状況に基づいて、前記端末への前記コンテンツの配信を許可することを判定してもよい。
【００１６】
前記判定部は、前記送信部が前記コンテンツを前記端末に送信する前に、前記通信方式を示す情報を送信させるための通知を前記端末に送信してもよい。
【００１７】
前記判定部は、前記通知の単位時間あたりの送信数を制限して前記通知を前記端末に送信してもよい。
【００１８】
前記送信部は、前記予測部が予測した前記コンテンツの識別情報を前記端末に送信した後、前記端末から受信した要求が示す前記識別情報に関連付けられた前記コンテンツを前記端末に送信してもよい。
【００１９】
本発明の第２の態様のコンテンツ配信プログラムは、プロセッサを、端末で表示されるコンテンツの閲覧履歴に基づいて、前記端末において今後閲覧される前記コンテンツを予測する予測部、前記端末が通信に用いている通信方式を示す情報に基づいて、前記端末への前記コンテンツの配信を許可することを判定する判定部、及び前記判定部が前記コンテンツの配信を許可することを判定した場合に、前記予測部が予測した前記コンテンツを前記端末に送信する送信部、として機能させる。
【００２０】
本発明の第３の態様のコンテンツ配信方法は、コンピュータが実行する、端末で表示されるコンテンツの閲覧履歴に基づいて、前記端末において今後閲覧される前記コンテンツを予測するステップと、前記端末が通信に用いている通信方式を示す情報に基づいて、前記端末への前記コンテンツの配信を許可することを判定するステップと、前記判定するステップで前記コンテンツの配信を許可することが判定された場合に、前記予測するステップで予測された前記コンテンツを前記端末に送信するステップと、を有する。
【００２１】
本発明の第４の態様のコンテンツ配信システムは、コンテンツ配信装置及び端末を備え、前記コンテンツ配信装置は、前記端末で表示されるコンテンツの閲覧履歴に基づいて、前記端末において今後閲覧される前記コンテンツを予測する予測部と、前記端末が通信に用いている通信方式を示す情報に基づいて、前記端末への前記コンテンツの配信を許可することを判定する判定部と、前記判定部が前記コンテンツの配信を許可することを判定した場合に、前記予測部が予測した前記コンテンツを前記端末に送信する送信部と、を有し、前記端末は、前記コンテンツ配信装置から受信した前記コンテンツを表示する表示部を有する。
【発明の効果】
【００２２】
本発明によれば、ユーザが閲覧するコンテンツをユーザ端末に通信容量の消費を抑えながら予め配信できるという効果を奏する。
【図面の簡単な説明】
【００２３】
【図１】第１の実施形態に係るコンテンツ配信システムの模式図である。
【図２】第１の実施形態に係るコンテンツ配信システムのブロック図である。
【図３】第１の実施形態に係る閲覧予測方法のフローチャートを示す図である。
【図４】第１の実施形態に係るコンテンツ配信方法のフローチャートを示す図である。
【図５】第１の実施形態に係るコンテンツ配信方法のシーケンス図である。
【図６】第２の実施形態に係るコンテンツ配信方法のフローチャートを示す図である。
【発明を実施するための形態】
【００２４】
（第１の実施形態）
図１は、本実施形態に係るコンテンツ配信システムＳの模式図である。コンテンツ配信システムＳは、コンテンツ配信装置１と、ユーザ端末２とを含む。コンテンツ配信装置１及びユーザ端末２は、インターネット等の任意のネットワークＮを介して接続される。コンテンツ配信システムＳは、その他のサーバ、端末等の機器を含んでもよい。
【００２５】
ユーザ端末２は、ユーザによって使用され、コンテンツ配信装置１からネットワークＮを介して画像を含むコンテンツを受信して表示する装置である。例えばコンテンツ配信装置１から配信されるコンテンツは、電子書籍又はまとめられた複数の画像である。また、コンテンツとして画像を含まない文字データ等を用いてもよい。ユーザ端末２は、ユーザによる操作を受け付ける入力部、及びユーザに対して情報を表示する表示部を有する。ユーザ端末２は、有線通信又は無線通信によってネットワークＮを介してコンテンツ配信装置１と通信可能に構成される。ユーザ端末２として、スマートフォンやタブレットのような携帯端末、パーソナルコンピュータ等を用いることができる。
【００２６】
ユーザ端末２は、内部に電池を有し、電池の電池容量（すなわち充電された電力）を消費することによって動く。ユーザ端末２の電池は、ユーザ端末２が電源Ｐに接続されることによって電力の供給を受けて充電される。電源Ｐは、発電所からの受電設備でもよく、ユーザ端末２の外部に設けられる電池でもよい。ユーザ端末２は、電源Ｐに有線で接続されてもよく、公知の無線給電技術を用いることによって電源Ｐに無線で接続されてもよい。
【００２７】
ユーザ端末２は、無線ＬＡＮ（ローカルエリアネットワーク）通信（第１の通信方式）及び移動体通信（第２の通信方式）の２つの通信方式を切り替え可能に構成される。ユーザ端末２は、無線ＬＡＮ通信を行う際には無線ＬＡＮのアクセスポイントＡに接続され、移動体通信を行う際には移動体通信の基地局Ｂに接続される。また、ユーザ端末２は、第１の通信方式として、無線ＬＡＮ通信の代わりに有線ＬＡＮ通信を行うように構成されてもよい。
【００２８】
コンテンツ配信装置１は、ユーザ端末２にコンテンツを配信する装置である。コンテンツ配信装置１は、ユーザ端末２にコンテンツを配信するためのプログラムを予め記憶する。コンテンツ配信装置１は、有線通信又は無線通信によってネットワークＮに接続されており、単一のコンピュータ、又はコンピュータ資源の集合であるクラウドによって構成される。
【００２９】
［コンテンツ配信システムＳの構成］
図２は、本実施形態に係るコンテンツ配信システムＳのブロック図である。図２において、矢印は主なデータの流れを示しており、図２に示したもの以外のデータの流れがあってよい。図２において、各ブロックはハードウェア（装置）単位の構成ではなく、機能単位の構成を示している。そのため、図２に示すブロックは単一の装置内に実装されてよく、あるいは複数の装置内に別れて実装されてよい。ブロック間のデータの授受は、データバス、ネットワーク、可搬記憶媒体等、任意の手段を介して行われてよい。
【００３０】
ユーザ端末２は、制御部２１と、通信部２２と、記憶部２３と、入力部２４と、表示部２５と、を有する。制御部２１は、コンテンツ受信部２１１と、表示制御部２１２と、を有する。
【００３１】
通信部２２は、ネットワークＮを介してコンテンツ配信装置１との間で通信をするための通信インターフェースである。通信部２２は、ＬＡＮ通信及び移動体通信を実行するためのプロセッサ、コネクタ、アンテナ等を含む。通信部２２は、コンテンツ配信装置１から受信した通信信号に所定の処理を行ってデータを取得し、取得したデータを制御部２１に入力する。また、通信部２２は、制御部２１から入力されたデータに所定の処理を行って通信信号を生成し、生成した通信信号をコンテンツ配信装置１に送信する。
【００３２】
表示部２５は、液晶ディスプレイ、有機エレクトロルミネッセンス（OLED: Organic Light Emitting Diode）ディスプレイ等、制御部２１の制御に基づいて各種の情報を表示可能な任意の表示装置を有する。入力部２４は、キーボード、マウス等、ユーザからの操作を受け付ける任意の入力装置を有する。入力部２４は、ユーザによる入力を示す情報を制御部２１に入力する。また、表示部２５としてユーザによる接触の位置を検出可能なタッチスクリーンを用いることによって、表示部２５と入力部２４とを一体に構成してもよい。
【００３３】
記憶部２３は、ＲＯＭ（Read Only Memory）、ＲＡＭ（Random Access Memory）、ハードディスクドライブ等を含む記憶媒体である。記憶部２３は、制御部２１が実行するプログラムを予め記憶している。
【００３４】
制御部２１は、例えばＣＰＵ（Central Processing Unit）等のプロセッサであり、記憶部２３に記憶されたプログラムを実行することにより、コンテンツ受信部２１１及び表示制御部２１２として機能する。制御部２１の機能の少なくとも一部は、電気回路によって実行されてもよい。また、制御部２１の機能の少なくとも一部は、ネットワーク経由で実行されるプログラムによって実行されてもよい。
【００３５】
コンテンツ受信部２１１は、コンテンツ配信装置１からコンテンツを受信し、記憶部２３に記憶させる。具体的には、コンテンツ受信部２１１は、まず受信対象のコンテンツの位置を示す識別情報（例えばURL: Uniform Resource Locator）をコンテンツ配信装置１から受信する。受信対象のコンテンツは、ユーザによって入力部２４を用いて指定されるか、あるいは後述のコンテンツ配信装置１のコンテンツ選択部１１４によって選択される。
【００３６】
コンテンツ受信部２１１は、受信した識別情報に関連付けられたコンテンツが記憶部２３に既に記憶されている場合には、該コンテンツの受信を行わない。コンテンツ受信部２１１は、受信した識別情報に関連付けられたコンテンツが記憶部２３に記憶されていない場合には、該識別情報を示す要求をコンテンツ配信装置１に送信することによってコンテンツ配信装置１から該コンテンツを受信し、該識別情報と該コンテンツとを関連付けて記憶部２３に記憶させる。
【００３７】
表示制御部２１２は、ユーザによって入力部２４を用いて指定されたコンテンツを記憶部２３から読み出して表示部２５に表示させる制御を行う。
【００３８】
本実施形態に係るユーザ端末２は、図２に示す具体的な構成に限定されない。ユーザ端末２は、１つの装置に限られず、２つ以上の物理的に分離した装置が有線又は無線で接続されることにより構成されてもよい。
【００３９】
コンテンツ配信装置１は、制御部１１と、通信部１２と、記憶部１３と、を有する。制御部１１は、情報取得部１１１と、閲覧予測部１１２と、配信条件判定部１１３と、コンテンツ選択部１１４と、コンテンツ送信部１１５と、を有する。
【００４０】
通信部１２は、ネットワークＮを介してユーザ端末２との間で通信をするための通信インターフェースである。通信部１２は、無線通信又は有線通信を実行するためのプロセッサ、アンテナ等を含む。通信部１２は、ユーザ端末２から受信した通信信号に所定の処理を行ってデータを取得し、取得したデータを制御部１１に入力する。また、通信部１２は、制御部１１から入力されたデータに所定の処理を行って通信信号を生成し、生成した通信信号をユーザ端末２に送信する。
【００４１】
記憶部１３は、ＲＯＭ、ＲＡＭ、ハードディスクドライブ等を含む記憶媒体である。記憶部１３は、制御部１１が実行するプログラムを予め記憶している。また、記憶部１３はコンテンツを予め記憶しており、各コンテンツは識別情報に関連付けられている。識別情報は、コンテンツごとに割り振られてもよく、又はコンテンツに含まれる画像ごとに割り振られてもよい。制御部１１は、識別情報を指定することによって、識別情報に関連付けられたコンテンツ又は画像を記憶部１３から読み出すことができる。
【００４２】
制御部１１は、例えばＣＰＵ等のプロセッサであり、記憶部１３に記憶されたプログラムを実行することにより、情報取得部１１１、閲覧予測部１１２、配信条件判定部１１３、コンテンツ選択部１１４及びコンテンツ送信部１１５として機能する。制御部１１の機能の少なくとも一部は、電気回路によって実行されてもよい。また、制御部１１の機能の少なくとも一部は、ネットワーク経由で実行されるプログラムによって実行されてもよい。
【００４３】
情報取得部１１１は、ユーザが過去に閲覧したコンテンツの閲覧履歴を示す情報と、ユーザが登録したコンテンツである登録コンテンツを示す情報とを取得する。ユーザは、ユーザ端末２に設定されたユーザの識別情報（例えばユーザＩＤ）によって識別される。ユーザの閲覧履歴及び登録コンテンツは、ユーザの識別情報に関連付けられて管理される。
【００４４】
閲覧履歴は、過去の所定期間内にユーザが閲覧したコンテンツの履歴である。閲覧履歴の期間は、過去の全期間でもよく、又は過去の所定期間（例えば１年間）でもよい。閲覧履歴の期間は、コンテンツ配信装置１の管理者によって任意に設定可能に構成されてもよい。登録コンテンツを示す情報は、ユーザが閲覧したか否かに関わらず、ユーザが自身の嗜好に基づいて登録したコンテンツを示す情報（例えばお気に入りリスト、プレイリスト等）である。情報取得部１１１は、閲覧履歴及び登録コンテンツを示す情報を、ユーザ端末２から受信してもよく、又は記憶部１３から読み出してもよい。
【００４５】
さらに情報取得部１１１は、記憶部１３に予め記憶された優先的に配信すべきコンテンツである優先コンテンツを示す情報を取得する。一般に販売数の多いコンテンツや、特定の賞を受けたコンテンツ等は、ユーザの閲覧履歴及び登録コンテンツに関係なく、ユーザによって閲覧されやすい傾向にある。そのため、情報取得部１１１は、予め記憶された特定の優先コンテンツを取得して、閲覧予測に用いる。
【００４６】
優先コンテンツは、コンテンツ配信装置１の管理者によって決定されて記憶部１３に記憶されてもよく、あるいはコンテンツ配信装置１によって各コンテンツの販売数等に基づいて自動的に決定されて記憶部１３に記憶されてもよい。
【００４７】
閲覧予測部１１２は、情報取得部１１１が取得した閲覧履歴を示す情報と、登録コンテンツを示す情報と、優先コンテンツを示す情報とに基づいて、配信対象のコンテンツを決定するための優先度（例えば閲覧確率）を算出する。具体的には、閲覧予測部１１２は、ユーザ端末２に配信可能な各コンテンツについて、閲覧履歴、登録コンテンツ及び優先コンテンツに基づいてスコアを算出する。
【００４８】
閲覧予測部１１２は、コンテンツが閲覧履歴のいずれかと同一又は類似の場合に、該コンテンツのスコアに所定値を加算する。また、閲覧予測部１１２は、コンテンツが登録コンテンツのいずれかと同一又は類似の場合に、該コンテンツのスコアに所定値を加算する。また、閲覧予測部１１２は、コンテンツが優先コンテンツのいずれかと同一の場合に、該コンテンツのスコアに所定値を加算する。それぞれの条件でスコアに加算される値は、同じでもよく、異なっていてもよく、コンテンツ配信装置１の管理者によって任意に設定可能に構成されてもよい。
【００４９】
コンテンツが同一であることは、コンテンツが同じシリーズ（例えば巻号が異なる逐次刊行物）であることを意味する。コンテンツが類似であることは、コンテンツが同一のジャンル（例えば野球漫画、歴史漫画等）に属することを意味する。各コンテンツのジャンルは、予め設定される。また、閲覧予測部１１２は、コンテンツのタイトル、作者、出版社等に基づいて、コンテンツの同一又は類似を判定してもよい。
【００５０】
閲覧予測部１１２は、各コンテンツについて算出されたスコアを優先度として、該コンテンツに関連付けて記憶部１３に記憶させる。このようにコンテンツ配信装置１は、閲覧履歴、登録コンテンツ及び優先コンテンツに基づいてユーザに今後閲覧されるコンテンツを予測して優先度を決定することによって、ユーザ端末２に予め配信したコンテンツがユーザによって閲覧される確率を高めることができる。
【００５１】
ここに示した優先度の定義は一例であり、閲覧履歴、登録コンテンツ及び優先コンテンツに基づいて配信対象のコンテンツを決定可能な任意の優先度を用いることができる。優先度を算出するためには少なくとも閲覧履歴が用いられればよく、登録コンテンツ及び優先コンテンツの少なくとも一方が省略されてもよい。
【００５２】
配信条件判定部１１３は、ユーザ端末２がＬＡＮ通信と移動体通信とのどちらで通信を行っているか（すなわちＬＡＮと移動体ネットワークとのどちらに接続されているか）を示す通信情報と、ユーザ端末２が電源Ｐに接続されているか否かを示す電源情報とを含む端末情報を取得する。通信情報は、さらに通信速度及び通信品質を示す情報を含んでもよい。電源情報は、さらにユーザ端末２の電池残量を示す情報を含んでもよい。
【００５３】
具体的には、まず配信条件判定部１１３はユーザ端末２にプッシュ通知を送信する。プッシュ通知は、ユーザ端末２（すなわちユーザ端末２で実行されるアプリケーション）に通信情報及び電源情報を含む端末情報を送信させて配信を開始するための契機を与えるものである。配信条件判定部１１３は、定期的（例えば予め定められた時間）に、又は所定の条件（例えば情報取得部１１１及び閲覧予測部１１２による閲覧予測が終了したこと）が満たされる場合に、ユーザ端末２にプッシュ通知を送信する。ユーザ端末２は、プッシュ通知を受信すると、自身の通信情報及び電源情報を含む端末情報をコンテンツ配信装置１に送信する。配信条件判定部１１３は、ユーザ端末２から通信情報及び電源情報を含む端末情報を受信する。
【００５４】
そして配信条件判定部１１３は、取得した通信情報及び電源情報に基づいて、コンテンツ配信を許可するか否かを判定する。具体的には、配信条件判定部１１３は、ユーザ端末２がＬＡＮ通信を行っていること（すなわちＬＡＮに接続されていること）を通信情報が示す場合であって、ユーザ端末２が電源Ｐに接続されていることを電源情報が示す場合に、コンテンツ配信を許可することを判定する。そうでない場合に、配信条件判定部１１３は、コンテンツ配信を許可しないことを判定する。そして配信条件判定部１１３は、判定の結果を記憶部１３に記憶する。
【００５５】
ユーザ端末の移動体通信の単位期間あたりの通信容量は決まっていることが多い。そこでこのようにユーザ端末２がＬＡＮに接続されていることを条件としてコンテンツ配信を行うことによって、コンテンツ配信装置１は、ユーザ端末２の移動体通信の通信容量の消費を抑えながら、コンテンツ配信を行うことができる。また、スマートフォンのようなユーザ端末２の電源容量は一般的に少ない。そこでこのようにユーザ端末２が電源Ｐに接続されていることを条件としてコンテンツ配信を行うことによって、コンテンツ配信装置１は、ユーザ端末２の電力の消費を抑えながら、コンテンツ配信を行うことができる。
【００５６】
配信条件判定部１１３は、上述のように通信情報及び電源情報の両方に基づいてコンテンツ配信を許可するか否かを判定するが、電源情報を用いず、通信情報のみに基づいてコンテンツ配信を許可するか否かを判定してもよい。
【００５７】
コンテンツ配信装置１が管理するユーザ端末２の数が多い場合に、配信条件判定部１１３が全てのユーザ端末２に一度にプッシュ通知を送信すると、コンテンツ配信装置１は多数のユーザ端末２から同時にアクセスを受ける。その結果、コンテンツ配信装置１の負荷が高まり、コンテンツ配信の速度低下等の問題が生じる可能性がある。そこで配信条件判定部１１３は、コンテンツ配信装置１の負荷を抑制するように、ユーザ端末２にプッシュ通知を送信するタイミングを制御してもよい。
【００５８】
具体的には、配信条件判定部１１３は、プッシュ通知を送信する前に、プッシュ通知の送信対象であるユーザ端末２を抽出する。そして送信対象のユーザ端末２の数が所定の数（例えば１万）を超える場合に、配信条件判定部１１３は、所定の数のユーザ端末２に対してプッシュ通知を送信する。そして所定の時間間隔（例えば１秒）の後、配信条件判定部１１３は、所定の数のユーザ端末２に対してプッシュ通知を送信することを繰り返す。プッシュ通知の単位時間あたりの送信数は、予めコンテンツ配信装置１の記憶部１３に設定される。
【００５９】
このように配信条件判定部１１３は、単位時間あたりの数を制限しながら複数回に分けてプッシュ通知を送信することによって、ユーザ端末２から受けるアクセスによるコンテンツ配信装置１の負荷を抑制することができる。
【００６０】
複数回に分けてプッシュ通知を送信する場合に、配信条件判定部１１３は、ユーザ端末２の過去の閲覧情報に基づいて、ユーザ端末２へプッシュ通知を送信する順番を設定してもよい。この場合に、配信条件判定部１１３は、ユーザ端末２の過去の閲覧情報（コンテンツを閲覧する頻度等）から、ユーザが該ユーザ端末２で当日中にコンテンツを閲覧する期待度（例えば閲覧確率）を算出する。そして配信条件判定部１１３は、プッシュ通知の送信対象であるユーザ端末２に対して、期待度が高い順にプッシュ通知を送信する。これにより、コンテンツを閲覧する期待度の高いユーザ端末２に優先的にコンテンツを配信することができる。
【００６１】
上述の方法では、ユーザ端末２は、自身の端末情報をコンテンツ配信装置１に送信する条件として、コンテンツ配信装置１からプッシュ通知を受信することを用いているが、その他の条件を用いてもよい。例えばユーザ端末２は、所定の時間になったこと又は前回の端末情報の送信から所定の時間が経過したことを条件として、自身の端末情報をコンテンツ配信装置１に送信してもよい。これにより、コンテンツ配信装置１からユーザ端末２へプッシュ通知を送信しなくても、ユーザ端末２のタイマーに基づいてコンテンツ配信を開始することができる。
【００６２】
コンテンツ選択部１１４は、配信条件判定部１１３がコンテンツ配信を許可することを判定した場合に、閲覧予測部１１２が算出した優先度に基づいて配信対象のコンテンツを選択してリストを生成する。コンテンツのリストは、１つ又は複数のコンテンツの位置を示す識別情報（例えばURL）を含む。コンテンツのリストにおいて、識別情報は配信する順序で並べられている。
【００６３】
具体的には、コンテンツ選択部１１４は、まず閲覧予測部１１２が算出した優先度（例えば閲覧確率）を記憶部１３から読み出して取得する。そしてコンテンツ選択部１１４は、取得した優先度に従って配信対象のコンテンツを配信する順序（例えば優先度が高い順）を決定し、決定した順序に従ってコンテンツの識別情報を並べたリストを生成する。
【００６４】
配信対象のコンテンツのリストは、所定の数のコンテンツを含む。リストに含めるコンテンツの数は、コンテンツのデータ容量に基づいて定められる。例えばコンテンツ選択部１１４は、合計のデータ容量の上限値を予め定めておき、優先度順の１つ目のコンテンツから順にデータ容量を合計していき、合計のデータ容量が上限値を超えたコンテンツまでを、リストに含めてもよい。また、コンテンツ選択部１１４は、１つのコンテンツのデータ容量の上限値を予め定めておき、上限値を超えるデータ容量を有するコンテンツをリストから除外してもよい。
【００６５】
これにより、例えばコンテンツ配信装置１からユーザ端末２へコンテンツを配信できる時間に制限がある場合であっても、コンテンツ選択部１１４は、制限された時間内に配信可能な数のコンテンツを選択できる。
【００６６】
さらにコンテンツ選択部１１４は、ユーザ端末２から受信した通信情報が示す通信速度及び通信品質の少なくとも一方に基づいて、合計のデータ容量の上限値及び１つのコンテンツのデータ容量の上限値を決定してもよい。この場合には、コンテンツ選択部１１４は、通信速度が大きいほど、又は通信品質が良いほど、合計のデータ容量の上限値及び１つのコンテンツのデータ容量の上限値を高く設定する。これにより、コンテンツ選択部１１４は、ユーザ端末２の通信環境に応じて適した数のコンテンツを選択できる。
【００６７】
コンテンツ選択部１１４は、ユーザ端末２に表示されるコンテンツの縮小画像や、イベント等の告知画像等の位置を示す識別情報を、コンテンツのリストの最初に含めてもよい。縮小画像及び告知画像は、コンテンツ自体ではなく、ユーザ端末２においてコンテンツを閲覧する前段階の画面で表示される画像である。そのため縮小画像及び告知画像は、コンテンツ自体よりもユーザによって閲覧される確率が高い。そのため、予めコンテンツ配信装置１からユーザ端末２に縮小画像及び告知画像を優先的に配信することによって、ユーザ端末２の通信容量及び電池容量の消費を効果的に抑えることができる。
【００６８】
コンテンツ送信部１１５は、まずコンテンツ選択部１１４が生成したコンテンツのリストをユーザ端末２に送信する。そしてコンテンツ送信部１１５は、ユーザ端末２からの要求に従ってコンテンツを送信する。具体的には、ユーザ端末２のコンテンツ受信部２１１は、コンテンツのリストに含まれる各識別情報について、識別情報に関連付けられたコンテンツが記憶部２３に記憶されていない場合には、識別情報を示す要求をコンテンツ配信装置１に送信する。識別情報に関連付けられたコンテンツが記憶部２３に記憶されている場合には、ユーザ端末２のコンテンツ受信部２１１は、識別情報を示す要求をコンテンツ配信装置１に送信しない。
【００６９】
そしてコンテンツ配信装置１のコンテンツ送信部１１５は、ユーザ端末２から受信した要求が示す識別情報に関連付けられたコンテンツを記憶部１３から読み出し、ユーザ端末２に送信する。
【００７０】
本実施形態に係るコンテンツ配信装置１は、図２に示す具体的な構成に限定されない。コンテンツ配信装置１は、１つの装置に限られず、２つ以上の物理的に分離した装置が有線又は無線で接続されることにより構成されてもよい。
【００７１】
［閲覧予測方法のフローチャート］
図３は、本実施形態に係るコンテンツ配信装置１が実行する閲覧予測方法のフローチャートを示す図である。図３の閲覧予測方法は、定期的（例えば予め定められた時間）に、又は所定の条件（例えば新たなコンテンツが配信可能になったこと）が満たされる場合に、開始される。
【００７２】
情報取得部１１１は、ユーザ端末２又は記憶部１３から、ユーザが過去に閲覧したコンテンツの閲覧履歴を示す情報を取得する（Ｓ１１）。情報取得部１１１は、ユーザ端末２又は記憶部１３から、ユーザが登録したコンテンツである登録コンテンツを示す情報を取得する（Ｓ１２）。情報取得部１１１は、記憶部１３から、優先的に配信すべきコンテンツである優先コンテンツを示す情報を取得する（Ｓ１３）。ステップＳ１１〜Ｓ１３の順序は変更されてもよく、ステップＳ１１〜Ｓ１３のうち少なくとも一部が並行して実行されてもよい。
【００７３】
閲覧予測部１１２は、ステップＳ１１〜Ｓ１３で情報取得部１１１が取得した閲覧履歴を示す情報と、登録コンテンツを示す情報と、優先コンテンツを示す情報とに基づいて、配信対象のコンテンツを決定するための優先度（例えば閲覧確率）を各コンテンツについて算出する（Ｓ１４）。そして閲覧予測部１１２は、各コンテンツについて算出した優先度を、該コンテンツと関連付けて記憶部１３に記憶させる。
【００７４】
［コンテンツ配信方法のフローチャート］
図４は、本実施形態に係るコンテンツ配信装置１が実行するコンテンツ配信方法のフローチャートを示す図である。図５は、図４のフローチャートに対応するコンテンツ配信方法のシーケンス図である。図４、５のコンテンツ配信方法は、定期的（例えば予め定められた時間）に、又は所定の条件（例えば図３の閲覧予測が終了したこと）が満たされる場合に、開始される。
【００７５】
まず、配信条件判定部１１３は、ユーザ端末２にプッシュ通知を送信する（Ｓ２１）。ユーザ端末２は、プッシュ通知を受信すると、自身の通信情報及び電源情報を含む端末情報をコンテンツ配信装置１に送信する。配信条件判定部１１３は、ユーザ端末２から通信情報及び電源情報を含む端末情報を受信して取得する（Ｓ２２）。
【００７６】
配信条件判定部１１３は、Ｓ２２で取得した通信情報及び電源情報が所定の条件を満たすか否かを判定する。具体的には、ユーザ端末２がＬＡＮ通信を行っていること（すなわちＬＡＮに接続されていること）を通信情報が示し、かつユーザ端末２が電源Ｐに接続されていることを電源情報が示す場合に（Ｓ２３のＹＥＳ）、配信条件判定部１１３は、コンテンツ配信を許可することを判定し、ステップＳ２４に進む。そうでない場合に（Ｓ２３のＮＯ）、配信条件判定部１１３は、コンテンツ配信を許可しないことを判定し、処理を終了する。
【００７７】
コンテンツ選択部１１４は、図３の閲覧予測方法において閲覧予測部１１２が算出した優先度を記憶部１３から読み出し、読み出した優先度に基づいて配信対象のコンテンツを選択し、コンテンツのリストを生成する（Ｓ２４）。
【００７８】
コンテンツ送信部１１５は、ステップＳ２４でコンテンツ選択部１１４が生成したコンテンツのリストをユーザ端末２に送信する（Ｓ２５）。ユーザ端末２は、コンテンツ配信装置１から受信したリストに含まれる各コンテンツについて、コンテンツが記憶部２３に記憶されていない場合には、コンテンツの配信の要求をコンテンツ配信装置１に送信する。コンテンツ送信部１１５は、Ｓ２５で送信したリスト中のコンテンツのうち、ユーザ端末２から要求があったコンテンツを、ユーザ端末２に送信する（Ｓ２６）。
【００７９】
［第１の実施形態の第１の変形例］
図４に示すコンテンツ配信方法は、ステップＳ２３において通信情報及び電源情報の両方の条件に基づいてコンテンツ配信を許可するか否かを判定するが、ユーザ端末２の位置又は日付に基づいてコンテンツ配信を許可する条件を緩和してもよい。例えばユーザ端末２がユーザの自宅又は職場にある場合には、電池容量を消費してもすぐに充電ができるため問題が起きづらい。また日付が休日である場合には、電池容量を消費しても仕事への影響が発生しづらい。
【００８０】
この場合に、配信条件判定部１１３は、ステップＳ２２において、端末情報として、通信情報及び電源情報に加えて、ユーザ端末２の位置情報及びユーザ端末２の日付情報をユーザ端末２から取得する。そして配信条件判定部１１３は、ユーザ端末２の位置情報及びユーザ端末２の日付情報を判定する。
【００８１】
具体的には、配信条件判定部１１３は、ユーザ端末２の位置情報が所定の条件を満たすか否かを判定する。位置情報の条件は、例えばユーザの自宅又は職場を含む所定の範囲内であることであり、予めユーザによって設定されて記憶部１３に記憶される。また、配信条件判定部１１３は、ユーザ端末２の日付が所定の条件を満たすか否かを判定する。日付の条件は、例えば休日であることであり、予めユーザによって設定されて記憶部１３に記憶される。
【００８２】
そして配信条件判定部１１３は、ユーザ端末２の位置情報又は日付が上述の条件を満たす場合には、ステップＳ２３においてユーザ端末２の通信情報のみを用いてコンテンツ配信を許可するか否かを判定する。一方、配信条件判定部１１３は、ユーザ端末２の位置情報及び日付が上述の条件を満たさない場合には、ステップＳ２３においてユーザ端末２の通信情報及び電源情報の両方を用いてコンテンツ配信を許可するか否かを判定する。このようにユーザ端末２の位置又は日付に基づいてコンテンツ配信を許可する条件を緩和することによって、より適切なコンテンツ配信を行うことができる。
【００８３】
［第１の実施形態の第２の変形例］
図２に示すコンテンツ配信システムＳでは、コンテンツ配信装置１（制御部１１）が閲覧予測方法及びコンテンツ配信方法を実行するが、ユーザ端末２（制御部２１）が閲覧予測方法及びコンテンツ配信方法の少なくとも一部を実行してもよい。例えば、ユーザ端末２の制御部２１が配信条件判定部１１３として機能するように構成してもよい。この場合には、ユーザ端末２の制御部２１は、自身のユーザ端末２から通信情報及び電源情報を取得し、取得した通信情報及び電源情報に基づいてコンテンツ配信を許可するか否かを判定する。そして制御部２１は判定の結果をコンテンツ配信装置１に送信する。そしてコンテンツ配信装置１の制御部１１は、ユーザ端末２から受信した判定の結果に従って、コンテンツの選択及びコンテンツの送信を行う。
【００８４】
ユーザ端末２を、ここに示した以外の機能を実行するように構成してもよい。このようにユーザ端末２が閲覧予測方法及びコンテンツ配信方法の少なくとも一部を実行するように構成することによって、コンテンツ配信装置１とユーザ端末２との間で負荷を分散することができる。
【００８５】
［第１の実施形態の効果］
以上説明したように、本実施形態に係るコンテンツ配信装置１は、ユーザ端末２の通信及び電源の情報が所定の条件を満たす場合に、ユーザの閲覧履歴や登録に基づく閲覧予測によって決定されたコンテンツをユーザ端末２に配信する。すなわち、コンテンツ配信装置１は、ユーザが自宅や職場においてユーザ端末２をＬＡＮ及び電源Ｐに接続している状況下であることを条件として、ユーザ端末２へのコンテンツの配信を行う。
【００８６】
このような構成によって、コンテンツ配信装置１は、ユーザ端末２の通信容量及び電力の消費を抑えながら、予めコンテンツを配信することができる。コンテンツ配信装置１は、配信対象のコンテンツをユーザの閲覧履歴や登録に基づく閲覧予測によって決定するため、ユーザが予め配信されたコンテンツを閲覧する確率を高め、コンテンツの配信に掛かる通信が無駄になることを抑えることができる。
【００８７】
（第２の実施形態）
本実施形態は、第１の実施形態の通信情報及び電源情報に加えて、ユーザ端末２の当日の利用状況に基づいて配信を許可するか否かの判定を行う。コンテンツ配信装置１がユーザ端末２に予め配信するコンテンツの数は限られているため、ユーザが予め配信されたコンテンツを当日中に読み切ってしまう場合がある。また、ユーザの行動は日毎に異なっているため、日によってはユーザ端末２の電源容量に余裕がある場合がある。
【００８８】
そこで本実施形態に係るコンテンツ配信装置１は、通信情報及び電源情報が条件を満たさない場合であっても、当日の利用状況によって配信を許可する。それ以外の構成及び処理は、第１の実施形態と同様である。
【００８９】
［コンテンツ配信方法のフローチャート］
図６は、本実施形態に係るコンテンツ配信装置１が実行するコンテンツ配信方法のフローチャートを示す図である。図６のフローチャートでは、図４のフローチャートのステップＳ２３の後であってステップＳ２４の前にステップＳ２７〜Ｓ２８が行われる。
【００９０】
ユーザ端末２は、ステップＳ２１のプッシュ通知を受信すると、自身の通信情報及び電源情報を含む端末情報に加えて、当日の利用状況を示す情報をコンテンツ配信装置１に送信する。利用状況は、予め配信された各コンテンツの閲覧状態の情報と、ユーザ端末２の電池残量の情報とを含む。電池残量として、電池容量の残りの量を用いてもよく、あるいは電池容量の消費速度及び残量から予測される電池容量が枯渇するまでの残り時間を用いてもよい。
【００９１】
ユーザ端末２がＬＡＮ通信を行っていること（すなわちＬＡＮに接続されていること）を通信情報が示さない、又はユーザ端末２が電源Ｐに接続されていることを電源情報が示さない場合に（Ｓ２３のＮＯ）、配信条件判定部１１３は、ステップＳ２７に進む。
【００９２】
配信条件判定部１１３は、ユーザ端末２から当日の利用状況を示す情報を受信して取得する（Ｓ２７）。配信条件判定部１１３は、Ｓ２７で取得した利用状況を示す情報が所定の条件を満たすか否かを判定する。
【００９３】
具体的には、予め配信したコンテンツのうち特定のコンテンツが閲覧済であることを利用状況が示す場合（Ｓ２８のＹＥＳ）、配信条件判定部１１３は、コンテンツ配信を許可することを判定し、ステップＳ２４に進む。特定のコンテンツは、例えば予め配信された逐次刊行物のコンテンツのうち、最新の巻号のコンテンツである。ユーザがこのような最新の巻号のコンテンツの閲覧を完了した場合に、ステップＳ２４においてコンテンツ選択部１１４は次の巻号のコンテンツを配信対象として優先的に選択する。
【００９４】
あるいは電池残量が所定の閾値以上であることを利用状況が示す場合（Ｓ２８のＹＥＳ）、配信条件判定部１１３は、コンテンツ配信を許可することを判定し、ステップＳ２４に進む。
【００９５】
利用状況を示す情報が上述の条件を満たさない場合に（Ｓ２８のＮＯ）、配信条件判定部１１３は、コンテンツ配信を許可しないことを判定し、処理を終了する。
【００９６】
図６において配信条件判定部１１３は、利用状況が条件を満たす場合に、ステップＳ２３における通信情報及び電源情報の両方の条件を不要とするが、これに限られず、ステップＳ２３における通信情報及び電源情報のうちどちらか一方の条件のみを不要としてもよい。また、配信条件判定部１１３は、利用状況としてコンテンツの閲覧状態及びユーザ端末２の電池残量の両方を用いてステップＳ２８の判定を行っているが、コンテンツの閲覧状態及びユーザ端末２の電池残量のうちどちらか一方のみを用いてステップＳ２８の判定を行ってもよい。
【００９７】
［第２の実施形態の効果］
本実施形態は、第１の実施形態と同様の効果を奏するのに加えて、通信情報及び電源情報が条件を満たさない場合であっても、当日の利用状況によってコンテンツの配信を行うことができる。例えば予め配信したコンテンツの最新巻号をユーザが当日中に閲覧し終えた場合に、コンテンツ配信装置１はユーザ端末２のＬＡＮ及び電源Ｐへの接続を待たずに次の巻号を配信する。これにより、ユーザはすぐに次の巻号を読むことができるため、利便性が向上する。また、例えばユーザ端末２の当日の電源残量が多い場合に、コンテンツ配信装置１はユーザ端末２のＬＡＮ及び電源Ｐへの接続を待たずに追加のコンテンツを配信する。これにより、コンテンツ配信装置１はより柔軟にコンテンツ配信を行うことができる。
【００９８】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００９９】
コンテンツ配信装置１の制御部１１（プロセッサ）は、図３に示す閲覧予測方法及び図４〜６に示すコンテンツ配信方法に含まれる各ステップ（工程）の主体となる。すなわち、制御部１１は、図３に示す閲覧予測方法及び図４〜６示すコンテンツ配信方法を実行するためのプログラムを記憶部１３から読み出し、該プログラムを実行してコンテンツ配信装置１の各部を制御することによって、図３に示す閲覧予測方法及び図４〜６示すコンテンツ配信方法を実行する。また、ユーザ端末２の制御部２１（プロセッサ）が、図３に示す閲覧予測方法及び図４〜６示すコンテンツ配信方法に含まれる各ステップの少なくとも一部の主体となってもよい。
【０１００】
図３に示す閲覧予測方法及び図４〜６示すコンテンツ配信方法に含まれるステップは一部省略されてもよく、ステップ間の順番が変更されてもよく、複数のステップが並行して行われてもよい。
【符号の説明】
【０１０１】
Ｓ  コンテンツ配信システム
１  コンテンツ配信装置
２  ユーザ端末
１１１  情報取得部
１１２  閲覧予測部
１１３  配信条件判定部
１１４  コンテンツ選択部
１１５  コンテンツ送信部
【図１】
2019074841.tif 000003
【図２】
2019074841.tif 000004
【図３】
2019074841.tif 000005
【図４】
2019074841.tif 000006
【図５】
2019074841.tif 000007
【図６】
2019074841.tif 000008